(57)【要約】      （修正有）【課題】テレビのモニター支持部分に負荷をかけずに固定でき、かつ折りたたんでコンパクトに収納できるテレビ用スタンド装飾パネルを提供する。【解決手段】２つの基台３と、基台に支持される板状体１とを有するテレビ用スタンド装飾パネルであって、基台には板状体を支持し、直立保持させる開口部７が形成され、板状体は複数の板からなり、接辺が蝶番等で連接された形状で、その連接部を介して開閉自在に折りたたまれ、板状体の裏面にはテレビ本体への固定部が設けられ、表面には時計や取手等の加飾が施されている。【選択図】図１
0003213942.tif 000002
【実用新案登録請求の範囲】
【請求項１】
薄型テレビのモニター画面を覆うことのできる大きさを有する板状体とそれを支持し、直立保持させる２つの基台とをもって１セットとなることを特徴とするテレビ用装飾パネル
【請求項２】
前記板状体が、複数の板からなり、接辺を粘着テープまたは蝶番で連接された形状で、かつ連接部を介して開閉自在で、折りたたみ可動の板状体であることを特徴とする請求項１記載のテレビ用スタンド装飾パネル
【請求項３】
前記板状体を開いたときに、表面が装飾部となり、手でつかむことのできる突起物を造設した取手部が形成された請求項１または請求項２に記載のテレビ用スタンド装飾パネル
【請求項４】
前記装飾部に、時計が造設されていて、テレビ画面の前に板状体を取り付けた状態で時間を確認できるように形成された請求項１から請求項３のうちのいずれか１項に記載のテレビ用スタンド装飾パネル
【請求項５】
前記装飾部の反対側の面が、テレビと接する面で裏面部となり、その裏面部にシリコンやコルクボードなどの軟らかい衝撃吸収材を貼り付け形成された請求項１から請求項４のうちのいずれか１項に記載のテレビ用スタンド装飾パネル
【請求項６】
前記裏面部にテレビ本体に引っ掛け固定するベルト、またはゴム紐、または粘着性を付する手段として両面粘着テープ、または金旬型の留め具とを備えることを特徴とした請求項１から請求項５のうちのいずれか１項に記載のテレビ用スタンド装飾パネル
【請求項７】
前記基台は、同一形状のものが２つで１セットであり、前記板状体を保持する保持溝が形成され、前記板状体を垂直かつ直立させ、保持する幅の開口部となっており、開口部から基台の底の底辺部までの高さは、テレビモニターの支持部でかつテレビモニターよりも前に出ているテレビの支持台よりも高い高さに形成されていることを特徴とする請求項１から請求項６のうちのいずれか１項に記載のテレビ用スタンド装飾パネル
【請求項８】
前記基台は、開口部の溝の深さが２段になっており、前記板状体を開いて差し込んだときには深い溝に、閉じてコンパクトにして差し込んだときには浅い溝に、それぞれ差し込み取り付け保持される幅に形成されていることを特徴とした請求項１から請求項７のうちのいずれか１項に記載のテレビ用スタンド装飾パネル
【考案の詳細な説明】
【技術分野】
【０００１】本考案は、テレビを見ていない特に、加飾を施した板状体をテレビの前に立て、テレビ画面を見たい時に外して、収納できるようにするためのテレビ用のスタンドに関するものである。
【技術背景】
【０００２】一世帯あたり約２台のテレビが置かれ、それらのほとんどが薄型テレビで、欠かすことのできないアイテムで、ある一方で電源を切ると同じような真っ暗な板状の物体となる。
【０００３】従来のテレビの装飾具としてはテレビに直接貼着させるテレビ用装飾パネルや額状のモニターテレビ装飾具、引っ掛け取り付ける構造で構成されている。
【０００４】しかしながら、上記のものはすべてモニターの支持部分に装飾品の重みがかかる構造であり、重みが加わる事でテレビのバランスが崩れ転倒する、支持部分の破損の危険といった欠点があった。
【特許文献】
【０００５】
【特許文献１】Ｕ−３０７３２９３  テレビ用装飾パネル
【特許文献２】Ｕ−３００３３６７  モニターテレビ装飾
【特許文献３】Ｕ−３１３２４６１  液晶テレビ画面用カバー
【考案の概要】
【考案が解決しようとする課題】
【０００６】本考案は、以上のような従来の欠点に鑑み、モニターの支持部分にほとんど負荷をかけずに固定させる、加飾を施した板状体を基台に取り付け支持させ、外した際にコンパクトにでき邪魔にならず、取り付けが簡単で、本体にも傷をつけにくい、時間を確認できるテレビ用スタンド装飾パネルを提供する事を目的としている。
【課題を解決するための手段】
【０００７】上記目的を達成するために、本考案はテレビのモニター画面を覆うことのできる大きさを有する板状体とそれを支持する２つの基台とでテレビ用スタンド装飾パネルを構成している。【０００８】また、前記板状体が、複数の板からなり、接辺を貼着テープ又は蝶番で連接された形状で、かつ連接部を介して開閉自在で折り畳み稼働の板状体で【０００９】前記板状体を開いた際、表面が装飾部になっており、手でつかむことの出来る突起物を造設した取手部となっており【００１０】前記装飾部に、時計が造設されていて、テレビ画面の前に板状体を取り付けた状態で時間を確認できるよう形成され【００１１】前記装飾部の反対側の面がテレビと接する面となり、その裏面部にシリコンやコルクボードなどのやわらかい衝撃吸収材を貼り付け【００１２】前記裏面部にテレビ本体に引っ掛け固定するベルト、またはゴム紐、または粘着性を付与する手段として、両面テープ、または金旬型の留め具とを備えており【００１３】前記基台は、同一形状のものが２つで１セットであり、前記板状体を保持する保持溝が形成され、前記板状体を垂直かつ直立させ保持する幅の開口部となっており、開口部から基台の底の底辺部までの高さは、テレビモニターの支持部でかつテレビモニターより前に出てきている部分のテレビの支持台よりも高い高さに形成されており【００１４】前記基台は、開口部の溝の深さが２段階になっており、前記板状体を開いて差し込んだときには深い溝に、閉じてコンパクトにして差し込んだときには浅い溝に、それぞれ差し込み取り付け保持される幅であるテレビ用スタンド装飾パネルを構成している。
【考案の効果】
【００１５】以上の説明から明らかなように、本考案では次に列挙する効果が得られる。
（１）装飾パネルである板状体を２つの基台に支持させることで、テレビのモニター支持部への負荷がほとんどかからず利用できる。
したがって、装飾パネルの重みによるモニター支持部の破損、テレビのバランスが崩れることによって起こる転倒の危険などが軽減される。【００１６】（２）前記板状体が、複数の板からなり、接辺を貼着テープ又は蝶番で連接された形状で、かつ連接部を介して開閉自在で折り畳み稼働の板状体なので、折りたたむことでコンパクトにすることができる。
したがって、テレビを見ていてテレビ用スタンド装飾パネルを使っていないときに、場所をあまりとらないようにできる。【００１７】（３）前記板状体を開いた際、表面が装飾部になっており、手でつかむことの出来る突起物を造設した取手部となっているので、取手があることでつかみやすくなる。
したがって、取り付け、取り外しのときに持ちやすくすることができる。【００１８】（４）前記装飾部に、時計が造設されていて、テレビ画面の前に板状体を取り付けた状態で時間を確認できるよう形成されており、装飾部に時計がついているので、装飾パネルをつけたままで時間を確認できる。
したがって、テレビを時計代わりにつけている人はテレビ用スタンド装飾パネルを取り外す必要もなく、また見たい番組の時間の確認に利用できる。【００１９】（５）前記装飾部の反対側の面がテレビと接する面となり、その裏面部にシリコンやコルクボードなどのやわらかい衝撃吸収材を貼り付けているので、何度も取り付け、取り外しをしても本体に傷がつきにくくできる。【００２０】（６）前記裏面部にテレビ本体に引っ掛け固定するベルト、またはゴム紐、または粘着性を付与する手段として、両面テープ、または金旬型の留め具とを備えているので、テレビ用スタンド装飾パネルが前に倒れそうになったときもテレビ自体が支えとなり倒れるのを防止することができる。【００２１】（７）前記（６）でテレビ用スタンド装飾パネルを折りたたんだときに、パネルが開かないようにとめる為の留め具として利用することができる。
したがって、折りたたむときに便利である。【００２２】（８）前記基台は、同一形状のものが２つで１セットであり、前記板状体を保持する保持溝が形成され、前記板状体を垂直かつ直立させ保持する幅の開口部となっており、開口部から基台の底の底辺部までの高さは、テレビモニターの支持部でかつテレビモニターより前に出てきている部分のテレビの支持台よりも高い高さに形成されているので、前記板状体を取り付けたときに、前記板状体を水平に差し込むことができ、取り付けたときに安定した状態を保つことができる。【００２３】（９）前記基台は、開口部の溝の深さが２段階になっており、前記板状体を開いて差し込んだときには深い溝に、閉じてコンパクトにして差し込んだときには浅い溝に、それぞれ差し込み取り付け保持される幅であることで、（２）と同様な効果が得られる。
【図面の簡単な説明】
【００２４】
【図１】本考案を実施するための最良の形態のテレビ用スタンド装飾パネルの斜視図である
【図２】参考として本考案に係るテレビ用スタンド装飾パネルの折りたたんだ状態を表した斜視図である
【図３】参考として本考案に係る実施するための最良の形態のテレビ用スタンド装飾パネルの裏面図である
【図４】参考として本考案に係る実施するための最良の形態のテレビ用スタンド装飾パネルの側面図である
【考案を実施するための形態】
【００２５】以下、本考案の実施例の形態を図に基づいて説明する。
【実施例１】
【００２６】図１は、本考案の全体図であって、テレビの前に基台が２つ置かれており、板状体を浮かせた状態である。【００２７】図２は、板状体を折りたたんだ状態で基台に取り付けた状態の図である。この状態であれば、テレビの横のスペースにおくことが可能である。【００２８】図３は、裏面図で斜線部が衝撃吸収材でヒモはテレビ本体に引っ掛け固定することもでき、かつ板状体を折りたたんだときに、開かないようにゴムを引っ掛け固定することも可能である。
【産業上の利用可能性】
【００２９】一世帯当たり、約２台のテレビが置かれ、それらのほとんどは何の加飾もされていないが、本考案がインテリアの一つとして置かれることで、家具を製造する産業で利用される。
【符号の説明】
【００３０】（１）板状体
（２）時計
（３）基台
（４）連接部
（５）装飾部
（６）裏面部
（７）開口部
（８）深い溝
（９）浅い溝
（１０）取手部
（１１）テレビの支持台
（１２）テレビのモニター
（１３）衝撃吸収材
（１４）ベルト
【図１】
0003213942.tif 000003
【図２】
0003213942.tif 000004
【図３】
0003213942.tif 000005
【図４】
0003213942.tif 000006
【手続補正書】
【提出日】平成29年9月20日(2017.9.20)
【手続補正１】
【補正対象書類名】実用新案登録請求の範囲
【補正対象項目名】全文
【補正方法】変更
【補正の内容】
【実用新案登録請求の範囲】
【請求項１】
薄型テレビのモニター画面を覆うことのできる大きさを有する板状体とそれを支持し、直立保持させる２つの基台とをもって１セットとなることを特徴とするテレビ用装飾パネル
【請求項２】
前記板状体が、複数の板からなり、接辺を粘着テープまたは蝶番で連接された形状で、かつ連接部を介して開閉自在で、折りたたみ可動の板状体であることを特徴とする請求項１記載のテレビ用スタンド装飾パネル
【請求項３】
前記板状体を開いたときに、表面が装飾部となり、手でつかむことのできる突起物を造設した取手部が形成された請求項１または請求項２に記載のテレビ用スタンド装飾パネル
【請求項４】
前記装飾部に、時計が造設されていて、テレビ画面の前に板状体を取り付けた状態で時間を確認できるように形成された請求項３に記載のテレビ用スタンド装飾パネル
【請求項５】
前記装飾部の反対側の面が、テレビと接する面で裏面部となり、その裏面部にシリコンやコルクボードなどの軟らかい衝撃吸収材を貼り付け形成された請求項３または請求項４の記載のテレビ用スタンド装飾パネル
【請求項６】
前記裏面部にテレビ本体に引っ掛け固定するベルト、またはゴム紐、または粘着性を付する手段として両面粘着テープ、または金旬型の留め具とを備えることを特徴とした請求項５に記載のテレビ用スタンド装飾パネル
【請求項７】
前記基台は、同一形状のものが２つで１セットであり、前記板状体を保持する保持溝が形成され、前記板状体を垂直かつ直立させ、保持する幅の開口部となっており、開口部から基台の底の底辺部までの高さは、テレビモニターの支持部でかつテレビモニターよりも前に出ているテレビの支持台よりも高い高さに形成されていることを特徴とする請求項１から請求項６のうちのいずれか１項に記載のテレビ用スタンド装飾パネル
【請求項８】
前記基台は、開口部の溝の深さが２段になっており、前記板状体を開いて差し込んだときには深い溝に、閉じてコンパクトにして差し込んだときには浅い溝に、それぞれ差し込み取り付け保持される幅に形成されていることを特徴とした請求項１から請求項７のうちのいずれか１項に記載のテレビ用スタンド装飾パネル